【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
通信ネットワークにおいて利用される方法であって、
高検出性パイロットを送信するための少なくとも１つのシンボルを決定することと、ここにおいて、前記少なくとも１つのシンボルは、少なくとも１つのデータ・シンボルである、
前記少なくとも１つのシンボルのうちの一部において、前記高検出性パイロットを送信することと、ここにおいて、低再使用係数は、前記高検出性パイロットの送信のために利用される、
を備える方法。
【請求項２】
前記少なくとも１つのシンボルのうちのその他の部分の間、およびその他のシンボルの間は、送信しないと決定することを更に備える請求項１に記載の方法。
【請求項３】
前記高検出性パイロットを送信するための前記少なくとも１つのシンボルを決定することは、セル・グループ識別情報に応じている請求項１に記載の方法。
【請求項４】
前記高検出性パイロットを送信するための前記少なくとも１つのシンボルを決定することは、前記通信ネットワークから命令を受信して、前記少なくとも１つのシンボルを使用することを備える請求項１に記載の方法。
【請求項５】
前記高検出性パイロットを送信するための前記少なくとも１つのシンボルを決定することは、
前記少なくとも１つのシンボルと第２のシンボルとからなる組合せを生成することと、
前記組合せの一部において、前記高検出性パイロットを送信することと
を備える請求項１に記載の方法。
【請求項６】
１又は複数のセルの識別情報に応じて、前記少なくとも１つのシンボルの送信ポジションを決定することを更に備える、請求項１に記載の方法。
【請求項７】
ワイヤレス通信のための装置であって、
高検出性パイロットを送信するための少なくとも１つのシンボルを決定することと、ここにおいて、前記少なくとも１つのシンボルは、少なくとも１つのデータ・シンボルである、
前記少なくとも１つのシンボルのうちの一部において、前記高検出性パイロットを送信することと、ここにおいて、低再使用係数は、前記高検出性パイロットの送信のために利用される、
を実行するように構成された少なくとも１つのプロセッサと、
前記少なくとも１つのプロセッサに結合されたメモリと、
を備える装置。
【請求項８】
前記少なくとも１つのプロセッサは更に、
前記少なくとも１つのシンボルのうちのその他の部分の間、およびその他のシンボルの間は、送信しないと決定するように構成される、請求項７に記載の装置。
【請求項９】
前記少なくとも１つのプロセッサは、セル・グループ識別情報に応じて、前記高検出性パイロットを送信するための前記少なくとも１つのシンボルを決定するように構成される、請求項７に記載の装置。
【請求項１０】
前記少なくとも１つのプロセッサは、通信ネットワークから命令を受信して、前記少なくとも１つのシンボルを使用することによって、前記高検出性パイロットを送信するための前記少なくとも１つのシンボルを決定するように構成される、請求項７に記載の装置。
【請求項１１】
前記少なくとも１つのプロセッサは、
前記少なくとも１つのシンボルと第２のシンボルとからなる組合せを生成することと、
前記組合せの一部において、前記高検出性パイロットを送信することと
によって、前記高検出性パイロットを送信するための前記少なくとも１つのシンボルを決定するように構成される、請求項７に記載の装置。
【請求項１２】
前記少なくとも１つのプロセッサは更に、
１又は複数のセルの識別情報に応じて、前記少なくとも１つのシンボルの送信ポジションを決定するように構成される、請求項７に記載の装置。
【請求項１３】
ワイヤレス通信のための装置であって、
高検出性パイロットを送信するための少なくとも１つのシンボルを決定するための手段と、ここにおいて、前記少なくとも１つのシンボルは、少なくとも１つのデータ・シンボルである、
前記少なくとも１つのシンボルのうちの一部において、前記高検出性パイロットを送信するための手段と、ここにおいて、低再使用係数は、前記高検出性パイロットの送信のために利用される、
を備える装置。
【請求項１４】
前記少なくとも１つのシンボルのうちのその他の部分の間、およびその他のシンボルの間は、送信しないと決定するための手段を更に備える請求項１３に記載の装置。
【請求項１５】
前記高検出性パイロットを送信するための前記少なくとも１つのシンボルを決定するための手段は、セル・グループ識別情報に応じて前記決定を実行するように構成される、請求項１３に記載の装置。
【請求項１６】
前記高検出性パイロットを送信するための前記少なくとも１つのシンボルを決定するための手段は、通信ネットワークから命令を受信して、前記少なくとも１つのシンボルを使用するように構成される、請求項１３に記載の装置。
【請求項１７】
前記高検出性パイロットを送信するための前記少なくとも１つのシンボルを決定するための手段は、
前記少なくとも１つのシンボルと第２のシンボルとからなる組合せを生成することと、
前記組合せの一部において、前記高検出性パイロットを送信することと
を実行するように構成される、請求項１３に記載の装置。
【請求項１８】
１又は複数のセルの識別情報に応じて、前記少なくとも１つのシンボルの送信ポジションを決定するための手段を更に備える、請求項１３に記載の装置。
【請求項１９】
コンピュータ読取可能媒体であって、
高検出性パイロットを送信するための少なくとも１つのシンボルを決定するためのコードと、ここにおいて、前記少なくとも１つのシンボルは、少なくとも１つのデータ・シンボルである、
前記少なくとも１つのシンボルのうちの一部において、前記高検出性パイロットを送信するためのコードと、ここにおいて、低再使用係数は、前記高検出性パイロットの送信のために利用される、
を備えるコンピュータ読取可能媒体。
【請求項２０】
前記少なくとも１つのシンボルのうちのその他の部分の間、およびその他のシンボルの間は、送信しないと決定するためのコードを更に備える請求項１９に記載のコンピュータ読取可能媒体。
【請求項２１】
前記高検出性パイロットを送信するための前記少なくとも１つのシンボルを決定するためのコードは、セル・グループ識別情報に応じて前記決定を実行するためのコードを備える、請求項１９に記載のコンピュータ読取可能媒体。
【請求項２２】
前記高検出性パイロットを送信するための前記少なくとも１つのシンボルを決定するためのコードは、通信ネットワークから命令を受信して、前記少なくとも１つのシンボルを使用するためのコードを備える、請求項１９に記載のコンピュータ読取可能媒体。
【請求項２３】
前記高検出性パイロットを送信するための前記少なくとも１つのシンボルを決定するためのコードは、
前記少なくとも１つのシンボルと第２のシンボルとからなる組合せを生成するためのコードと、
前記組合せの一部において、前記高検出性パイロットを送信するためのコードと
を備える、請求項１９に記載のコンピュータ読取可能媒体。
【請求項２４】
１又は複数のセルの識別情報に応じて、前記少なくとも１つのシンボルの送信ポジションを決定するためのコードを更に備える、請求項１９に記載のコンピュータ読取可能媒体。
【請求項２５】
通信ネットワークにおいて利用される方法であって、
１又は複数の送信機からシンボルを受信することと、
高検出性パイロットが送信された少なくとも１つのデータ・シンボルを決定することと、
前記高検出性パイロットが送信された前記少なくとも１つのデータ・シンボルのうちの一部を決定することと、
を備え、
低再使用係数は、前記高検出性パイロットの送信のために利用された、方法。
【請求項２６】
高検出性パイロットが送信された前記少なくとも１つのデータ・シンボルを決定することは、セル・グループ識別情報に応じている請求項２５に記載の方法。
【請求項２７】
２つのシンボルからなる組合せの一部において、前記高検出性パイロットを受信することを更に備え、前記組合せは、前記少なくとも１つのデータ・シンボルおよび第２のシンボルを備える、請求項２５に記載の方法。
【請求項２８】
１又は複数のセルの識別情報に応じて、前記少なくとも１つのデータ・シンボルの送信ポジションを決定することを更に備える、請求項２５に記載の方法。
【請求項２９】
ワイヤレス通信のための装置であって、
１又は複数の送信機からシンボルを受信することと、
高検出性パイロットが送信された少なくとも１つのデータ・シンボルを決定することと、
前記高検出性パイロットが送信された前記少なくとも１つのデータ・シンボルのうちの一部を決定することと、ここにおいて、低再使用係数は、前記高検出性パイロットの送信のために利用された、
を実行するように構成された少なくとも１つのプロセッサと、
前記少なくとも１つのプロセッサに結合されたメモリと、
を備える装置。
【請求項３０】
前記少なくとも１つのプロセスは、セル・グループ識別情報に応じて、高検出性パイロットが送信された前記少なくとも１つのデータ・シンボルを決定するように構成される、請求項２９に記載の装置。
【請求項３１】
前記少なくとも１つのプロセッサは更に、
２つのシンボルからなる組合せの一部において、前記高検出性パイロットを受信するように構成され、前記組合せは、前記少なくとも１つのデータ・シンボルおよび第２のシンボルを備える、請求項２９に記載の装置。
【請求項３２】
前記少なくとも１つのプロセッサは更に、
１又は複数のセルの識別情報に応じて、前記少なくとも１つのデータ・シンボルの送信ポジションを決定するように構成される、請求項２９に記載の装置。
【請求項３３】
ワイヤレス通信のための装置であって、
１又は複数の送信機からシンボルを受信するための手段と、
高検出性パイロットが送信された少なくとも１つのデータ・シンボルを決定するための手段と、
前記高検出性パイロットが送信された前記少なくとも１つのデータ・シンボルのうちの一部を決定するための手段と、を備え、
低再使用係数は、前記高検出性パイロットの送信のために利用された、装置。
【請求項３４】
高検出性パイロットが送信された前記少なくとも１つのデータ・シンボルを決定するための手段は、セル・グループ識別情報に応じて前記決定を実行するように構成される、請求項３３に記載の装置。
【請求項３５】
２つのシンボルからなる組合せの一部において、前記高検出性パイロットを受信するための手段を更に備え、前記組合せは、前記少なくとも１つのデータ・シンボルおよび第２のシンボルを備える、請求項３３に記載の装置。
【請求項３６】
１又は複数のセルの識別情報に応じて、前記少なくとも１つのデータ・シンボルの送信ポジションを決定するための手段を更に備える、請求項３３に記載の装置。
【請求項３７】
ワイヤレス通信のためのコンピュータ読取可能媒体であって、
１又は複数の送信機からシンボルを受信するためのコードと、
高検出性パイロットが送信された少なくとも１つのデータ・シンボルを決定するためのコードと、
前記高検出性パイロットが送信された前記少なくとも１つのデータ・シンボルのうちの一部を決定するためのコードと、を備え、
低再使用係数は、前記高検出性パイロットの送信のために利用された、コンピュータ読取可能媒体。
【請求項３８】
高検出性パイロットが送信された前記少なくとも１つのデータ・シンボルを決定するためのコードは、セル・グループ識別情報に応じて前記決定を実行するためのコードを備える、請求項３７に記載のコンピュータ読取可能媒体。
【請求項３９】
２つのシンボルからなる組合せの一部において、前記高検出性パイロットを受信するためのコードを更に備え、前記組合せは、前記少なくとも１つのデータ・シンボルおよび第２のシンボルを備える、請求項３７に記載のコンピュータ読取可能媒体。
【請求項４０】
１又は複数のセルの識別情報に応じて、前記少なくとも１つのデータ・シンボルの送信ポジションを決定するためのコードを更に備える、請求項３７に記載のコンピュータ読取可能媒体。